(57)【要約】【課題】本体部とは別個に形成された胴部を多機能化する。【解決手段】商品が収納される本体部１と、本体部１とは別個に形成され本体部１の内側に嵌合されて取付けられ一部を本体部１から突出させた胴部２と、胴部２の本体部１からの突出部分に嵌合される蓋部３とを備えている。本体部１と胴部２とは、引抜きによる分離が可能である。胴部２は、本体部１に収納される商品に係る情報が記された薄性材料Ｓを折り加工することで本体部１に嵌合される形状に形成されるとともに本体部１から引抜かれて薄性材料Ｓを平面状に展開可能である。【選択図】                図１
2004359308.tif 000002
【特許請求の範囲】
【請求項１】
商品が収納される本体部と、本体部とは別個に形成され本体部の内側に嵌合されて取付けられ一部を本体部から突出させた胴部と、胴部の本体部からの突出部分に嵌合される蓋部とを備えた包装箱において、本体部と胴部とは引抜きによる分離が可能であり、胴部は本体部に収納される商品に係る情報が記された薄性材料を折り加工することで本体部に嵌合される形状に形成されるとともに本体部から引抜かれて薄性材料を平面状に展開可能であることを特徴とする包装箱。
【請求項２】
請求項１の包装箱において、胴部は本体部からの突出部分が薄性材料の折り重ねによる積層構造からなることを特徴とする包装箱。
【請求項３】
請求項１または２の包装箱において、胴部は本体部に嵌合される形状を保持する保形構造を備えていることを特徴とする包装箱。
【請求項４】
請求項１〜３のいずれかの包装箱において、本体部は胴部の一部を露出させる窓が設けられていることを特徴とする包装箱。
【請求項５】
請求項４の包装箱において、胴部は収納される商品の一部を露出させる窓が設けられていることを特徴とする包装箱。
【請求項６】
請求項１〜５のいずれかの包装箱において、蓋部は収納される商品の一部を露出させる窓が設けられていることを特徴とする包装箱。
【発明の詳細な説明】
【０００１】
【発明の属する技術分野】本発明は、比較的小型の商品を収納する印籠式（中子式）の包装箱に係る技術分野に属する。
【０００２】
【従来の技術】現在、ＣＤ等の比較的小型の商品の包装箱としては、商品が収納される本体部と、本体部から突出された胴部と、胴部に嵌合される蓋部とを備えた印籠式からなるものが多用されている。この印籠式の包装箱は、胴部，蓋部の嵌合によって緊密で強固な包装状態を得ることができるとともに、蓋部の胴部に対する着脱の容易性によって解包後に商品の保管用ケースとしても使用することができるという特性がある。
【０００３】
印籠式の包装箱では、本体部からの胴部の突出を構成する製造工作が面倒であるため、製造コストが高くなるという不具合がある。このため、本体部からの胴部の突出を構成する製造工作を容易にした印籠式の包装箱の開発が切望されている。
【０００４】
従来、本体部からの胴部の突出を構成する製造工作を容易にした印籠式の包装箱としては、例えば、以下に記載のものが知られている。
【特許文献１】実開昭６０−１５０９２０号公報
特許文献１には、商品が収納される本体部と、本体部とは別個に形成され本体部の内側に嵌合されて取付けられ一部を本体部から突出させた胴部と、胴部の本体部からの突出部分に嵌合される蓋部とを備えた包装箱が記載されている。
【０００５】
特許文献１に係る包装箱は、別個に形成した本体部，胴部を外側，内側の嵌合によって組付けることで、本体部からの胴部の突出を構成する製造工作を容易にしている。なお、本体部，胴部の間には、組付け後の離脱を防止する抜止め構造が備えられている。
【０００６】
【発明が解決しようとする課題】特許文献１に係る包装箱では、胴部が本体部とは別個に形成されて部材的に独立しているにもかかわらず抜止め構造で本体部に一体化されてしまうため、胴部が蓋部の嵌合のための機能しか奏することができず部材的な独立性が有効利用されていないという問題点がある。
【０００７】
本発明は、このような問題点を考慮してなされたもので、本体部とは別個に形成された胴部を多機能化した包装箱を提供することを課題とする。
【０００８】
【課題を解決するための手段】前述の課題を解決するため、本発明に係る包装箱は、次のような手段を採用する。
【０００９】
即ち、請求項１では、商品が収納される本体部と、本体部とは別個に形成され本体部の内側に嵌合されて取付けられ一部を本体部から突出させた胴部と、胴部の本体部からの突出部分に嵌合される蓋部とを備えた包装箱において、本体部と胴部とは引抜きによる分離が可能であり、胴部は本体部に収納される商品に係る情報が記された薄性材料を折り加工することで本体部に嵌合される形状に形成されるとともに本体部から引抜かれて薄性材料を平面状に展開可能であることを特徴とする。
【００１０】
この手段では、胴部が本体部に収納される商品に係る情報の表示機能をも奏する。
【００１１】
また、請求項２では、請求項１の包装箱において、胴部は本体部からの突出部分が薄性材料の折り重ねによる積層構造からなることを特徴とする。
【００１２】
この手段では、胴部の本体部からの突出部分に積層構造が備えられる。
特に突出部分の先端から曲げて折り重ねたときは、先端には曲げに伴う曲面が形成される。
【００１３】
また、請求項３では、請求項１または２の包装箱において、胴部は本体部に嵌合される形状を保持する保形構造を備えていることを特徴とする。
【００１４】
この手段では、胴部が保形構造によって本体部に嵌合される形状に保持される。
【００１５】
また、請求項４では、請求項１〜３のいずれかの包装箱において、本体部は胴部の一部を露出させる窓が設けられていることを特徴とする。
【００１６】
この手段では、本体部の窓を介して胴部に記された本体部に収納される商品に係る情報が視認される。
【００１７】
また、請求項５では、胴部は収納される商品の一部を露出させる窓が設けられていることを特徴とする。
【００１８】
この手段では、本体部の窓と胴部の窓とを介して収納される商品の一部が視認される。
【００１９】
また、請求項６では、蓋部は収納される商品の一部を露出させる窓が設けられていることを特徴とする。
【００２０】
この手段では、蓋部の窓を介して収納される商品の一部が視認される。
【００２１】
【発明の実施の形態】以下、本発明に係る包装箱の実施の形態を図面に基づいて説明する。
【００２２】
図１〜図７は、本発明に係る包装箱の実施の形態（１）を示すものである。
【００２３】
この実施の形態では、ＣＤ等からなる薄性の商品Ｇを多数枚積層状態で収納するものを示してある。
【００２４】
この実施の形態は、本体部１，胴部２，蓋部３の各部で構成されている。
【００２５】
本体部１は、底面１１と４面の側面１２，１３，１４，１５とで囲まれた商品Ｇが収納される直方体の収納容積を備えた上部開放形の角箱からなる。この本体部１については、例えば、紙材で折り加工，貼り加工したり合成樹脂材で一体成形したりする製造手段を選択することができる。１つの側面１２には、窓１６が開口されている。
【００２６】
胴部２は、図２に詳細に示されるような薄性材料Ｓから折り加工された角筒からなる。この薄性材料Ｓとしては、例えば、紙材や紙材に合成樹脂材をコーティングしたもの等が選択される。薄性材料Ｓは、必要部分（表裏の全面でも差支えない）に商品Ｇに係る情報Ｄが印刷等で記されて図２に示される展開形状に裁断される。商品Ｇに係る情報Ｄとしては、法令，業界団体規則等に基づく商品Ｇの内容，取扱注意等の告知、商品Ｇの取扱説明、商品Ｇの広告、商品Ｇをイメージする装飾等が挙げられる。商品Ｇに係る情報Ｄの表現としては、文字，図形，写真等が挙げられる。薄性材料Ｓには、本体部１の４面の側面１２，１３，１４，１５にそれぞれ横幅がほぼ対応し上下幅が少し延長された側面片Ｓ１，Ｓ２，Ｓ３，Ｓ４と、本体部１の１面の側面１５に横幅がほぼ対応し上下幅が少し延長された側面重片Ｓ５と、側面片Ｓ１，Ｓ２，Ｓ３，Ｓ４に連続した上下幅の狭い折返片Ｓ６，Ｓ７，Ｓ８，Ｓ９と、折返片Ｓ６，Ｓ７，Ｓ８，Ｓ９の間に切込まれた切込Ｓ１０，Ｓ１１，Ｓ１２とが設けられている。
【００２７】
この胴部２は、薄性材料Ｓが図２に示す細線Ｌ（予め折筋を形成しておくのが好ましい）に沿って折り加工された角筒とされて、本体部１の内側に嵌合されて取付けられる。薄性材料Ｓの折り加工では、折返片Ｓ６，Ｓ７，Ｓ８，Ｓ９が側面片Ｓ１，Ｓ２，Ｓ３，Ｓ４の表側に折重ねられ、側面片Ｓ４の外側に側面重片Ｓ５を位置させて側面片Ｓ４に連続する折返片Ｓ９が側面重片Ｓ５の外側に折重ねられる（図６参照）。従って、角筒形に形成された胴部２は、側面重片Ｓ５を側面片Ｓ４，折返片Ｓ９で挟込む保形構造２１が構成され、糊付け等による貼り加工を施さなくても本体部１に嵌合される角筒の形状が保持される。この結果、胴部２の本体部１への取付けが容易となる。
【００２８】
本体部１に取付けられた胴部２は、下側の大部分が本体部１に嵌合され、上側の一部分が本体部１から突出する。胴部２の本体部１からの突出部分２ａは、側面片Ｓ１，Ｓ２，Ｓ３，Ｓ４，側面重片Ｓ５，折返片Ｓ６，Ｓ７，Ｓ８，Ｓ９の折重ねによる積層構造２２となっている。また、胴部２の積層構造２２の下側部分は、本体部１に嵌合されて、本体部１の側面１２，１３，１４，１５で折返片Ｓ６，Ｓ７，Ｓ８，Ｓ９の起立が阻止されている。なお、胴部２を本体部１から引抜くことで、本体部１，胴部２を簡単に分離することができる。
【００２９】
蓋部３は、天面３１と４面の側面３２，３３，３４，３５とで囲まれた下部開放形の角箱からなる。この蓋部３については、例えば、紙材で折り加工，貼り加工したり合成樹脂材で一体成形したりする製造手段を選択することができる。
【００３０】
この蓋部３は、本体部１から突出する胴部２の突出部分に嵌合着脱される。この場合、図７に示すように、突出部分２ａの先端４０に折り重ねによる曲面４０ａが形成される。したがって、前記突出部分２ａの先端４０の曲面４０ａを案内面とすることができ、この曲面４０ａに沿って蓋部３の下端開口３ａの胴部２への嵌合が円滑に行われる。
【００３１】
この実施の形態によると、図３，図４に示すように、胴部２が蓋部３の嵌合のための本来の機能を確実に奏することができるとともに、胴部２の積層構造２２がクッション性，弾性を備えて蓋部３の嵌合着脱を容易にする。なお、胴部２の積層構造２２は、本体部１に収納された商品Ｄの緩衝にも役立つ。
【００３２】
この実施の形態の包装状態では、胴部２の一部が本体部１の窓１６から露出されるため、胴部２に記されている商品Ｇに係る情報Ｄの一部を包装の外側から視認することができる。
【００３３】
また、この実施の形態を解包した場合には、胴部２の保形構造２１を分解することで、胴部２を簡単に平面状に展開することができる。従って、胴部２に記されている商品Ｇに係る情報Ｄの全部を見ることができる。即ち、胴部２が平面状に展開された薄性材料Ｓの表裏の全面という広い面積を見ることができるため、商品Ｇに係る情報Ｄを大量に得ることができる。このため、商品Ｇに係る情報Ｄを印刷した冊子等を商品Ｇに加えて本体部１の内部に別添えする必要がなくなり、全体の容積を小型化することができる。
【００３４】
図８〜図１１は、本発明に係る包装箱の実施の形態（２）を示すものである。
【００３５】
この実施の形態では、前述の実施の形態（１）の胴部２を形成する薄性材料Ｓの側面重片Ｓ５の横幅を狭く形成してある。そして、薄性材料Ｓの折り加工では、折返片Ｓ６，Ｓ７，Ｓ８，Ｓ９が側面片Ｓ１，Ｓ２，Ｓ３，Ｓ４の裏側に折重ねられて貼合わされる（図８（Ｂ）の格子表示部分Ｘ）。ただし、側面片Ｓ４，折返片Ｓ９の横幅の端辺寄りには、未貼合わせ部分Ｙが設けられる。
【００３６】
この実施の形態によると、基本的に前述の実施の形態（１）と同様の作用，効果が奏されることになるが、折返片Ｓ６，Ｓ７，Ｓ８，Ｓ９の起立が貼合わせの接着で阻止されることになる。また、胴部２の保形構造２２は、図９，図１０に示すように、薄性材料Ｓの側面重片Ｓ５の側面片Ｓ４，折返片Ｓ９における未貼合わせ部分Ｙへの差込みで構成されることになる。
【００３７】
なお、この実施の形態によると、前述の実施の形態（１）に比して、胴部２の形成に伴って折返片Ｓ６，Ｓ７，Ｓ８，Ｓ９の起立が阻止されてしまうため、胴部２の本体部１への取付けが容易になる利点がある。
【００３８】
図１２は、本発明に係る包装箱の実施の形態（３）を示すものである。
【００３９】
この実施の形態では、前述の実施の形態（１），（２）における胴部２の積層構造２１を省略している。そして、胴部２の保形構造２２は、差込溝２２ａ，差込片２２ｂとで構成している。
【００４０】
この実施の形態によると、基本的に前述の実施の形態（１），（２）と同様の作用，効果が奏されることになるが、実施の形態（１），（２）に比して胴部２が簡素化される利点がある。
【００４１】
図１３は、本発明に係る包装箱の実施の形態（４）を示すものである。
【００４２】
この実施の形態では、前述の実施の形態（３）における胴部２の保形構造２２を互いに差込まれる差込スリット２２ｃとしてある。
【００４３】
この実施の形態によると、基本的に前述の実施の形態（３）と同様の作用，効果が奏されることになるが、実施の形態（３），（２）に比して胴部２の保形構造２２における突起物（差込片２２ｂ）が消失され胴部２がより簡素化される利点がある。
【００４４】
以上、図示した実施の形態の外に、本体部１の窓１６を多面に多数開口することも可能である。
【００４５】
さらに、展開された胴部２の全部又は一部をはがき，カード等として利用できるように構成することも可能である。
【００４６】
【発明の効果】以上のように、本発明に係る包装箱は、胴部が本体部に収納される商品に係る情報の表示機能をも奏するため、本体部とは別個に形成された胴部が多機能化される効果がある。
【図面の簡単な説明】
【図１】本発明に係る包装箱の実施の形態（１）を示す要部の取扱い状態を含む分解斜視図である。
【図２】図１の要部の展開図であり、（Ａ）に表面が示され、（Ｂ）に裏面を示されている。
【図３】図１の一部の商品を含む詳細図である。
【図４】図３の使用状態図である。
【図５】図４の閉蓋状態の縦断面図である。
【図６】図５の縦断面図である。
【図７】実施の形態（１）にかかる包装箱の蓋部を胴部に嵌合する際のモデルを示す拡大断面図である。
【図８】本発明に係る包装箱の実施の形態（２）を示す要部の取扱い状態を含む分解斜視図である。
【図９】図７の要部の展開図であり、（Ａ）に折畳み前の表面が示され、（Ｂ）に折畳み前の裏面を示され、（Ｃ）に折畳み後の裏面が示されている。
【図１０】図７の閉蓋状態の縦断面図である。
【図１１】図９の縦断面図である。
【図１２】本発明に係る包装箱の実施の形態（３）を示す要部の斜視図である。
【図１３】本発明に係る包装箱の実施の形態（４）を示す要部の斜視図である。
【符号の説明】
１                本体部
１６          窓
２                胴部
２１          保形構造
２２          積層構造
３            蓋部
Ｄ            情報
Ｇ            商品
Ｓ            薄性材料
【図１】
2004359308.tif 000003
【図２】
2004359308.tif 000004
【図３】
2004359308.tif 000005
【図４】
2004359308.tif 000006
【図５】
2004359308.tif 000007
【図６】
2004359308.tif 000008
【図７】
2004359308.tif 000009
【図８】
2004359308.tif 000010
【図９】
2004359308.tif 000011
【図１０】
2004359308.tif 000012
【図１１】
2004359308.tif 000013
【図１２】
2004359308.tif 000014
【図１３】
2004359308.tif 000015